(57)【要約】【課題】異なる通信方式対応の交換レンズや通信端子の形状が異なる交換レンズを接続可能にして、適切な撮影を可能にする。【解決手段】第１交換レンズとの通信を可能にする第１電子端子と、第２交換レンズとの通信を可能にする第２電子端子と、を有し、第１電子端子と第２電子端子とは、互いに形状が異なる、または、互いに異なる通信方式に対応しており、第１交換レンズの回動軌跡と、第２交換レンズの回動軌跡とが互いに重ならないように装着口に対する第１電子端子および−第２電子端子が設けられている。【選択図】図１
2013021391.tif 000002
【特許請求の範囲】
【請求項１】
交換レンズを装着口より回動させることで前記交換レンズを装着可能なカメラ本体であって、  
第１交換レンズの電子端子と接続して前記第１交換レンズとの通信を可能にする第１電子端子と、第２交換レンズの電子端子と接続して前記第２交換レンズとの通信を可能にする第２電子端子と、を有し、前記第１電子端子と前記第２電子端子とは、互いに形状が異なり、
前記カメラ本体に対して前記第１交換レンズを装着する際に伴う前記第１交換レンズの回動軌跡と、前記第２交換レンズを装着する際に伴う前記第２交換レンズの回動軌跡とが互いに重ならないように前記第１電子端子および前記第２電子端子が設けられていることを特徴とするカメラ本体。
【請求項２】
交換レンズを装着口より回動させることで前記交換レンズを装着可能なカメラ本体であって、  
第１交換レンズの電子端子と接続して前記第１交換レンズとの通信を可能にする第１電子端子と、第２交換レンズの電子端子と接続して前記第２交換レンズとの通信を可能にする第２電子端子と、を有し、
前記第１電子端子と前記第２電子端子とは、互いに異なる通信方式に対応しており、
前記カメラ本体に対して前記第１交換レンズを装着する際に伴う前記第１交換レンズの回動軌跡と、前記第２交換レンズを装着する際に伴う前記第２交換レンズの回動軌跡とが互いに重ならないように前記第１電子端子および前記第２電子端子が設けられていることを特徴とするカメラ本体。
【請求項３】
前記装着口がカメラ本体に１個設けられ、複数の交換レンズの装着に対し共用されることを特徴とする請求項１または２に記載のカメラ本体。
【請求項４】
前記第１交換レンズを前記装着口より回動させて前記第１電子端子と接続する際の前記第１交換レンズの回動軌跡と、前記第２交換レンズを前記装着口より回動させて前記第２電子端子と接続する際の前記第２交換レンズの回動軌跡とが、互いに異なる回動方向であることを特徴とする請求項１乃至３のいずれか１項に記載のカメラ本体。
【請求項５】
前記装着口がカメラ本体に２個設けられ、一方が前記第１交換レンズとの接続のために用いられ、他方が前記第２交換レンズとの接続のために用いられることを特徴とする請求項１乃至４のいずれか１項に記載のカメラ本体。
【請求項６】
前記２個の装着口は、周方向に異なる位置もしくは径方向に異なる位置に設けられることを特徴とする請求項５に記載のカメラ本体。
【請求項７】
前記第１交換レンズを前記装着口の一方より回動させて前記第１電子端子と接続する際の前記第１交換レンズの回動軌跡と、前記第２交換レンズを前記装着口の他方より回動させて前記第２電子端子と接続する際の回動軌跡とが、同じ回動方向であることを特徴とする請求項６に記載のカメラ本体。
【請求項８】
前記第１電子端子と前記第２電子端子とは、互いに異なる電子端子構成であることを特徴とする請求項１乃至７のいずれか１項に記載のカメラ本体。
【請求項９】
前記第１電子端子と前記第２電子端子には、夫々電源、グランド、通信端子を含むことを特徴とする請求項１乃至８のいずれか１項に記載のカメラ本体。
【請求項１０】
前記第１電子端子と前記第２電子端子の夫々の前記通信端子は、カメラ本体と交換レンズとの双方向通信が可能な通信端子であることを特徴とする請求項９に記載のカメラ本体。
【請求項１１】
前記第１電子端子は静止画撮影用レンズの電子端子に対応し、前記第２電子端子は動画撮影用レンズの電子端子に対応することを特徴とする請求項１乃至１０のいずれか１項に記載のカメラ本体。
【請求項１２】
請求項１乃至１１のいずれか１項に記載のカメラ本体と、
前記カメラ本体に装着可能な交換レンズと、を有することを特徴とするカメラシステム。
【発明の詳細な説明】
【技術分野】
【０００１】
本発明は、異なる通信方式対応の交換レンズや通信端子の形状が異なる交換レンズを接続可能にして、適切な撮影を可能にするカメラ本体およびカメラシステムに関するものである。
【背景技術】
【０００２】
従来、今までの一眼レフカメラシステムは、静止画撮影用に設計されてきたので、従来のカメラシステムにて動画撮影を行う場合には、電力制限、駆動形式、及び通信規約等により限界がある。最近は、一眼レフカメラでも動画撮影が可能なカメラが多く普及しているが、動画撮影用の新しいカメラシステムであって、交換レンズに着目して従来の静止画撮影用カメラシステムを維持しつつ、適切な動画撮影にも対応したカメラシステムは無い。
【０００３】
特許文献１に示されるカメラシステムでは、カメラとレンズの係合部分にそれぞれの電気回路とカメラ側の電源とを接続する接点（コネクタ部）を設け、その接点を介して電源の授受、及び通信を行うことにより撮影を可能にしている。
【先行技術文献】
【特許文献】
【０００４】
【特許文献１】特開昭５８−８３８２４号公報
【発明の概要】
【発明が解決しようとする課題】
【０００５】
しかしながら、上述の特許文献１に開示された従来技術では、カメラ側の接点が静止画撮影用に用意されていた接点（コネクタ）の為、動画対応レンズで動画撮影を行う上で通信端子が不足、または電力不足などの問題が発生する。そして、適切な撮影が不可能になってしまう。
【０００６】
そこで、本発明の目的は、異なる通信方式対応の交換レンズや通信端子の形状が異なる交換レンズを接続可能にして、適切な撮影を可能にするカメラ本体およびカメラシステムを提供することにある。
【課題を解決するための手段】
【０００７】
上記目的を達成するために、本発明は、交換レンズを装着口より回動させることで交換レンズを装着可能なカメラ本体であって、第１交換レンズの電子端子と接続して前記第１交換レンズとの通信を可能にする第１電子端子と、第２交換レンズの電子端子と接続して前記第２交換レンズとの通信を可能にする第２電子端子と、を有し、前記第１電子端子と前記第２電子端子とは、互いに形状が異なり、前記カメラ本体に対して前記第１交換レンズを装着する際に伴う前記第１交換レンズの回動軌跡と、前記第２交換レンズを装着する際に伴う前記第２交換レンズの回動軌跡とが互いに重ならないように前記第１電子端子および前記第２電子端子が設けられていることを特徴とする。
【０００８】
また、本発明は、交換レンズを装着口より回動させることで前記交換レンズを装着可能なカメラ本体であって、第１交換レンズの電子端子と接続して前記第１交換レンズとの通信を可能にする第１電子端子と、第２交換レンズの電子端子と接続して前記第２交換レンズとの通信を可能にする第２電子端子と、を有し、前記第１電子端子と前記第２電子端子とは、互いに異なる通信方式に対応しており、前記カメラ本体に対して前記第１交換レンズを装着する際に伴う前記第１交換レンズの回動軌跡と、前記第２交換レンズを装着する際に伴う前記第２交換レンズの回動軌跡とが互いに重ならないように前記第１電子端子および前記第２電子端子が設けられていることを特徴とする。
【０００９】
また、上記カメラ本体と、上記カメラ本体に装着可能な交換レンズと、を有するカメラシステムも本発明の他の一側面を構成する。
【発明の効果】
【００１０】
本発明によれば、異なる通信方式対応の交換レンズや通信端子の形状が異なる交換レンズを接続可能にして、適切な撮影を可能にするカメラ本体およびカメラシステムを提供できる。
【図面の簡単な説明】
【００１１】
【図１】（ａ）は本発明の第１の実施形態に関し、装着口に対するカメラ本体の第１電子端子および第２電子端子の位置が、互いに逆回動方向となる配置を示す図、（ｂ）は第２の実施形態に関し、装着口に対するカメラ本体の第１電子端子および第２電子端子の位置が、共に同じ回動方向となる配置を示す図である。
【図２】本発明の実施形態であるカメラシステムの説明図である。
【図３】交換レンズの概観図である。
【図４】カメラ本体の概観図である。
【図５】（ａ）乃至（ｄ）はロック機構の説明図である。
【図６】カメラ本体と交換レンズが接合した状態を示す図である。
【図７】交換レンズ側の第１のインタフェースの説明図である。
【図８】カメラ本体側の第１のインタフェースの説明図である。
【図９】カメラ本体側の第１のインタフェースに関し、５Ｖ系電源で内部が駆動している場合の説明図である。
【図１０】（ａ）はシリアル通信波形に関し、カメラとの通信レベル５Ｖ系ロジックレベルを示す図、（ｂ）は３Ｖ系ロジックレベルに変換した図である。
【図１１】レンズ側の第２のインタフェースの説明図である。
【図１２】カメラ本体側の第２のインタフェースの説明図である。
【図１３】（ａ）、（ｂ）は高速クロック通信およびＵＡＲＴ通信の波形図である。
【発明を実施するための形態】
【００１２】
以下に、本発明の好ましい実施形態を、添付の図面に基づいて詳細に説明する。図２は、本発明の実施形態にかかわるカメラシステムである。
【００１３】
《第１の実施形態》
以下、図１（ａ）、および図２乃至図５を参照して、本実施形態に係わるカメラシステムについて説明する。図２は、交換レンズを装着口より回動させることで装着可能なカメラ本体１０２と、交換レンズ１０１の電子端子と接触可能な電子端子を備える電子マウントと、を備えたカメラシステムの構成を示す。カメラ本体１０２は、カメラ本体１０２内部の電源部１１６より供給される電力で駆動する。交換レンズ１０１は、レンズ側の第１のインタフェース部であるＩ／Ｆ１１７、又は第２のインタフェース部であるＩ／Ｆ１１８を介して、カメラ本体より供給される電力にて駆動する。
【００１４】
レンズ側の第１のＩ／Ｆ１１７、第２のＩ／Ｆ１１８夫々で、供給される電源レベル及び電力量が等しい、もしくは異なる場合もある。被写体からの撮影光束は交換レンズ１０１の撮影光学系を通り、撮影光学画像として撮像部（ＣＣＤやＣＭＯＳ）１２１面上に結像する。その撮影光学画像は、撮像部１２１によって光電変換され撮像信号となる。
【００１５】
１２２はタイミングジェネレータであり、撮像部１２１の蓄積動作、読み出し動作及びリセット動作などを制御する。１２３は撮像部１２１の蓄積電荷ノイズを低減するＣＤＳ回路（２重相関サンプリング回路）、及び撮像信号を増幅するゲインコントロール回路である。１２４は増幅された撮像信号をアナログからデジタルの画像データへ変換するＡ／Ｄ変換器である。１２５は映像信号処理回路であり、Ａ／Ｄ変換器１２４でデジタル化された画像データに、フィルタ処理、色変換処理及びガンマ処理などを行う。
【００１６】
映像信号処理回路１２５で信号処理された画像信号は、ＬＣＤ１２６に表示されたり、着脱可能なメモリカード１２７に記録される。操作部１２８は、カメラメインスイッチや、動画／静止画撮影モードの設定や、動画の録画、静止画撮影を行うためのスイッチ類である。交換レンズ１０１には、撮影光学系の一部として、フォーカスレンズ１３０、像振れ補正用レンズ１３１、絞り１３２、が配置されている。フォーカスレンズ１３０は、レンズＭＰＵ１２９からの制御信号によりフォーカス制御回路１３３及びフォーカスレンズ駆動用モータ１３４を介して駆動される。
【００１７】
フォーカス制御回路１３３には、フォーカスレンズ駆動回路のほか、フォーカスレンズの移動に応じたゾーンパターン信号やパルス信号を出力するフォーカスエンコーダなども含まれている。像振れ補正レンズ１３１は、像振れ補正制御回路１３５、リニアモータ１３６を介して駆動される。像振れ補正は、次のようにして行われる。
すなわち、回転振れを検出する角速度センサ１３７の振れ信号がレンズＭＰＵ１２９に入力される。
【００１８】
レンズＭＰＵ１２９は、補正レンズ駆動目標信号を算出し、この補正レンズ駆動目標信号と補正レンズ位置検出部１３８から出力される補正レンズ位置信号との差に応じた駆動信号を像振れ補正制御回路１３５に出力する。像振れ補正は、このように補正レンズ位置検出部１３８から出力される補正レンズ位置信号を像振れ補正制御回路１３５にフィードバックすることで行われる。絞り１３２は、絞り制御回路１４１、ステッピングモータ１４０を介して駆動される。
【００１９】
レンズＭＰＵ１２９は撮影モードに応じてステッピングモータ１４０の駆動方式を、１−２相駆動、及びマイクロステップ駆動等に切り替えて制御を行う。また交換レンズ１０１とカメラ本体１０２の電気的接続は、レンズ側の第１のＩ／Ｆ１１７とカメラ側の第１のＩ／Ｆ１１９もしくは、レンズ側の第２のＩ／Ｆ１１８とカメラ側の第２のＩ／Ｆ１２０を介して行なわれる。
【００２０】
第１のＩ／Ｆ１１９を介してレンズと接続した場合は静止画撮影専用接続となり、レンズ側の第１のＩ／Ｆ１１７とカメラ側の第１のＩ／Ｆ１１９の電子端子構成はシリアル通信ライン、電源ライン、及びグランドラインで構成される。第１のＩ／Ｆ１１７と第１の１／Ｆ１１９で接続された場合は、前記操作部１２８の動画／静止画撮影モードの設定も初期設定として、自動で静止画撮影モードとなる。
【００２１】
更に前記フォーカスレンズ１３０、絞り１３２、及び像振れ補正レンズの駆動方法も静止画撮影に適した駆動方法を行う。第２のＩ／Ｆ１２０を介してレンズと接続した場合は、動画撮影専用接続となる。そして、レンズ側の第２のＩ／Ｆ１１８とカメラ側の第２のＩ／Ｆ１２０の電子端子構成もシリアル通信ライン、電源ライン、グランドライン、更にビデオ同期信号ラインで構成される。
【００２２】
第２のＩ／Ｆ１１８と第２の１／Ｆ１２０で接続された場合は、前記操作部１２８の動画／静止画撮影モードの設定も初期設定として、自動で動画撮影モードとなる。
更に前記フォーカスレンズ１３０、絞り１３２、及び像振れ補正レンズの駆動方法も動画撮影に適した駆動方法を行う。カメラシステム制御用ＭＰＵ１３９は上記動作を制御するほか、インタフェース部である前記第１のＩ／Ｆ１１９もしくは、前記第２のＩ／Ｆ１２０を介して、交換レンズ１０１側のレンズＭＰＵ１２９と相互に双方向通信する。
【００２３】
この双方向通信では、交換レンズ１０１へフォーカス駆動命令を送信したり、動画／静止画撮影モードの状態、手ぶれ補正モードの状態、録画中、撮影中などの動作状態などのデータを送受信したりする。以上が撮影を行うカメラシステムの一例の説明である。
【００２４】
次にインタフェース部について、図７乃至図１２を参照して説明する。図８乃至図９は、カメラ側のインタフェース部である第１のＩ／Ｆ１１９の詳細を示した図である。第１のＩ／Ｆ１１９のコンタクト部分は、電源端子（ロジック系）、グランド端子（ロジック系）、クロック端子、データ端子（カメラ→レンズ）、データ端子（レンズ→カメラ）、電源端子（パワ−系）、グランド端子（パワー系）で構成される。ＥＳＤ保護回路１４５はレンズと未接続時の静電気対策回路でツェナーダイオード等から構成される。
【００２５】
レベルシフタ１４４は、図１０に示されるように、カメラとの通信レベル５Ｖ系ロジックレベル（図１０（ａ））を３Ｖ系ロジックレベル（図１０（ｂ））に変換する。またこのレベルシフタを介してクロック端子、データ端子（カメラ→レンズ）、データ端子（レンズ→カメラ）を用いてレンズとシリアルクロック通信を行っている。ここでカメラの種類により、図９のように５Ｖ系電源で内部が駆動している場合がある。その為、上記のように通信レベルを５Ｖ系に統一する必要があるので５Ｖ系にレベル変換を行う。
【００２６】
電源部１１６の内部ではカメラ内部で使用する３Ｖ系電源と通信レベルである５Ｖ系電源、更にレンズ用に供給するロジック系（５Ｖ系）電源及びパワー系電源を生成している。図７はレンズ側のインタフェース部である第１のＩ／Ｆ１１７の詳細を示した図である。第１のＩ／Ｆ１１７のコンタクト部分は電源端子（ロジック系）、グランド端子（ロジック系）、クロック端子、データ端子（カメラ→レンズ）、データ端子（レンズ→カメラ）、電源端子（パワ−系）、グランド端子（パワー系）で構成される。
【００２７】
ＥＳＤ保護回路１４３はカメラと未接続時の静電気対策回路でツェナーダイオード等から構成される。レベルシフタ１４２は図１０（ａ）、図１０（ｂ）で示されるように、カメラとの通信レベル５Ｖ系ロジックレベル（図１０（ａ））を３Ｖ系ロジックレベル（図１０（ｂ））に変換する。レベル変換する理由は前述したとおり、様々なカメラの種類に対応する為である。
【００２８】
レンズ内電源部はカメラから供給される５Ｖ系電源（ロジック系）から、３Ｖ系の電源を生成しレンズ内部回路に供給している。レンズ内電源部から供給される３Ｖ系電源と、第１のＩ／Ｆ１１７のコンタクト部分の電源端子（パワ−系）、グランド端子（パワー系）で供給される電源とで、レンズ内制御回路及びレンズ内モータは駆動される。
【００２９】
図１２はカメラ側のインタフェース部である第２のＩ／Ｆ１２０の詳細を示した図である。第１のＩ／Ｆ１１８のコンタクト部分は、電源端子（ロジック系）、グランド端子（ロジック系）、クロック端子、データ端子（カメラ→レンズ）、データ端子（レンズ→カメラ）を備える。更に、ビデオ同期信号用端子、電源端子（パワ−系）、グランド端子（パワー系）を備え、これらの部材で第１のＩ／Ｆ１１８のコンタクト部分は、構成される。
【００３０】
ＥＳＤ保護回路（低容量）１４７は、レンズと未接続時の静電気対策回路でツェナーダイオード等から構成される。第１の１／Ｆ１１９に付いているＥＳＤ保護回路より低容量であり、第１のＩ／Ｆより高速なクロック通信に対応している。また新システムのため第１の１／Ｆ１１９とは異なり通信レベルの変換が不要で、直接レンズＭＰＵと３Ｖ系の通信を行なう。
【００３１】
通信端子群は、より高速に通信するため、図１３（ａ）、図１３（ｂ）で示すような高速クロック通信及びＵＡＲＴ通信を切換えて行うことも可能である。更に動画撮影用にビデオ同期信号端子も備えており、従来のビデオ通信も可能となる。電源部１１６の内部では、カメラ内部で使用する３Ｖ系電源、更にレンズ用に供給するロジック系（３Ｖ系）電源及びパワー系電源を生成している。第１の１／Ｆ１１９とは異なり５Ｖ系の電源を生成する必要が無くなり、余分な電力損失が少なくなっている。
【００３２】
第２のＩ／Ｆ１２０のコンタクト部分の電源端子（ロジック系）、グランド端子（ロジック系）、電源端子（パワ−系）、及びグランド端子（パワー系）は動画撮影時は常にフォーカスレンズ等を駆動する。そのため、第１の１／Ｆ１１９とは異なり、より大きな電力が供給可能となっている。図１１はレンズ側のインタフェース部である第１のＩ／Ｆ１１８の詳細を示した図である。
【００３３】
第１のＩ／Ｆ１１８のコンタクト部分は、電源端子（ロジック系）、グランド端子（ロジック系）、クロック端子、データ端子（カメラ→レンズ）、データ端子（レンズ→カメラ）、ビデオ同期信号用端子を備える。更に、電源端子（パワ−系）、グランド端子（パワー系）を備える。第１のＩ／Ｆ１１８のコンタクト部分は、これらの部材で構成される。ＥＳＤ保護回路（低容量）１４６はレンズと未接続時の静電気対策回路でツェナーダイオード等から構成される。第１の１／Ｆ１１７に付いているＥＳＤ保護回路より低容量であり、第１のＩ／Ｆ１１７より高速なクロック通信に対応している。
【００３４】
また新システムのため第１の１／Ｆ１１７とは異なり通信レベルの変換が不要で、直接レンズＭＰＵと３Ｖ系の通信を行なう。通信端子群は、より高速に通信するために、図１３（ａ）、図１３（ｂ）で示すような高速クロック通信及びＵＡＲＴ通信を切換えて行うことも可能である。更に、動画撮影用にビデオ同期信号端子も備えており、従来のビデオ通信も可能となる。また第１のＩ／Ｆ１１７とはことなり、カメラ側から３Ｖ系の電源が供給される為、レンズ内電源部が不要となる。
【００３５】
第２のＩ／Ｆ１１８のコンタクト部分の電源端子（ロジック系）、グランド端子（ロジック系）、電源端子（パワ−系）、及びグランド端子（パワー系）は動画撮影時は常にフォーカスレンズ等を駆動する。そのため、第１の１／Ｆ１１７とは異なりより大きな電力が供給可能となっている。以上がインタフェース部についての一例の詳細説明である。
【００３６】
（交換レンズのカメラ本体への装着方法および装着機構）
次に本発明の交換レンズのカメラ本体への装着方法及び装着機構について説明する。
交換のカメラ本体からの離脱方法は、交換レンズのカメラ本体への装着方法とは逆の動作を行うこととなる。
【００３７】
先ず、本実施形態を概略的に示せば、図１（ａ）のように、共通の装着口Ｓ１を介して静止画撮影用レンズと動画撮影用レンズをカメラ本体へ装着する際に、カメラ本体のマウント接触面１１４に接触させながら互いに逆方向に回動させる。即ち、第１撮影形態用のレンズとして静止画撮影用の第１レンズ（カメラ用レンズ）をカメラ本体へ装着する場合、装着口Ｓ１より右回りに回動させて装着位置Ｇ１に達するようにし、レンズとカメラ本体の電子端子同士を接触させる。
【００３８】
一方、第２撮影形態用のレンズとして動画撮影用の第２レンズ（ビデオ用レンズ）をカメラ本体へ装着する場合は、装着口Ｓ１より左回りに回動させて装着位置Ｇ２に達するようにし、レンズとカメラ本体の電子端子同士を接触させる。
【００３９】
図３は、交換レンズ１０１を光軸方向と光軸に対して垂直方向から見た図を示す。図４は、カメラ本体１０２を光軸方向及び光軸に対して垂直方向から見た図を示している。交換レンズ１０１とカメラ本体１０２は、図３のマウントリング１０３と図４のカメラマウント部材１０４によって係合する。係合の際に、初期位相として図２のマウントリング１０３の２０１部分と、図４のカメラマウント部材１０４の３０１部分、同様に２０２部分と３０２部分、２０３部分と３０３部分の位相が合うように取り付けを行う。
【００４０】
その後交換レンズ１０１をカメラ本体１０２に対して回動させる。静止画撮影用の第１レンズの場合は右回り、動画撮影用の第２レンズの場合は左回りである。回動させると、交換レンズのマウントリング１０３と、カメラ本体のカメラマウント部材１０４が、図６のように接触して、交換レンズ１０１とカメラ本体１０２を係合する。また図３のロック穴Ａ１１１とロック穴Ｂ１１２は、交換レンズ１０１とカメラ本体が回転係合する際に、回転位相が所定の位置に来たら図４のロックピン１０９と係合してロックする。
【００４１】
なお、カメラ本体の第１電子端子と第２電子端子とは、互いに異なる電子端子構成を備えることで、カメラ本体へのレンズの誤設定を防止できる。即ち、静止画用の第１レンズの電子端子は、カメラ本体の第１電子端子と接触するが、動画用の第２レンズの電子端子は、カメラ本体の第１電子端子と接触しないこととなる。また、動画用の第２レンズの電子端子は、カメラ本体の第２電子端子と接触するが、静止画用の第１レンズの電子端子は、カメラ本体の第２電子端子と接触しないこととなる。
【００４２】
（ロックの仕組み）
ロックの仕組みに関しては下記に図５（ａ）〜（ｄ）を用いて説明する。交換レンズが取り付けられていない場合は図５（ａ）の状態で、ロックピン１０９はロックピンバネ１１５に押されて、カメラ側のマウント接触面１１４から飛び出た状態となる。初期位相で交換レンズ１０１とカメラ本体１０２が接合した場合、レンズ側のマウント接触面１１３がロックピン１０９を押し込み図５（ｂ）の状態となる。その後交換レンズ１０１が回転し所定の位相となった時に、回転方向によりロック穴Ａ１１１またはロック穴Ｂ１１２とロックピン１０９の位相が揃い、係合して図５（ｃ）の状態となる。
【００４３】
この状態で、静止画撮影用の第１レンズの第１の電子端子１０６（第２のＩ／Ｆ１１８）とカメラ本体の第１電子端子１０８（第１のＩ／Ｆ１２０）が、接触する位相となっている。もしくは、動画撮影用の第２レンズの第２の電子端子１０５（第１のＩ／Ｆ１１７）とカメラ本体の第２電子端子１０７（第２のＩ／Ｆ１１９）が、接触する位相となっている。また、図５（ｃ）のロック状態から図４のロック解除ボタン１１０を押す事により、ロックピン１０９が図５（ｄ）のように、カメラ側のマウント接触面１１４よりカメラ側の方に沈みこみ、ロック解除となる。
【００４４】
この状態から交換レンズ１０１を初期位相状態まで回転すれば、カメラ本体１０２より離脱させることができる。上記の方式を用いる事により、交換レンズ１０１をカメラ本体１０２に異なる方向に回転係合させることが可能となり、更に所定の位相でロックすることも可能となる。また、回転方向を変えて異なる電子端子同士を接触させることも可能となる。
【００４５】
以上のような構造及び駆動方法を行うことにより、回転させてカメラと交換レンズを係合させる装着機構をもつカメラシステムにおいて、異なる方向に回転係合させることにより、適切な撮影システムで静止画及び動画を撮影することが可能となる。
【００４６】
《第２の実施形態》
第１の実施形態では、装着口がカメラ本体に１個設けられ、全ての交換レンズの装着に対し共用される。そして、共通の装着口を介して静止画撮影用の第１レンズと動画撮影用の第２レンズをカメラへ装着する際にカメラ側のマウント接触面１１４に接触させながら互いに異なる回動方向（逆方向）に回動させるものであった。これに対して、本実施形態では装着口を２個設け、一方が静止画撮影用の第１レンズの装着に用いられ、他方が動画撮影用の第２レンズの装着に用いられる。
【００４７】
静止画撮影用の第１レンズと、動画撮影用の第２レンズと、を個別にカメラ本体へ装着する際に、図１（ｂ）に示すように同一方向に回動させる。即ち、静止画撮影用の第１レンズを装着する場合は、装着口Ｓ１から差込んで右回り（時計回り）に回動し装着位置Ｇ１に達して、静止画撮影用の第１レンズの電子端子がカメラ本体の第１電子端子と接触するようにする。
【００４８】
一方、動画撮影用の第２レンズを装着する場合は、装着口Ｓ２から差込んで左回り（反時計回り）に回動し装着位置Ｇ２に達して、動画撮影用の第２レンズの電子端子がカメラ本体の第２電子端子と接触するようにする。なお、装着口Ｓ１と装着口Ｓ２は周方向に異なる位置となる場合（図１（ｂ））の他、径方向に異なる位置としても良い。
【００４９】
本実施形態においても、静止画撮影用の第１レンズと動画撮影用の第２レンズをカメラ本体へ装着する際の回動軌跡が互いに重ならないように、装着口に対するカメラ本体の第１電子端子および第２電子端子の位置が設定されている。これにより、静止画撮影用の第１レンズもしくは動画撮影用の第２レンズの電子端子が、カメラ本体の第１電子端子と第２電子端子の一方には接触するが、他方には接触しないようにでき、安定した電気的接続を図ることができる。
【００５０】
（変形例１）
上述した実施形態においては、交換レンズとして静止画撮影用、動画撮影用の交換レンズを例として示した。しかしながら本発明はこれに限られず、複数の静止画撮影用の交換レンズに対しても、夫々カメラ本体の第１電子端子、第２電子端子に対応させて接続させるようにしてもよい。例えば、交換レンズの中には、マクロ撮影用のレンズのように、像振れ補正を行うために角変位を検出するだけでなく変位も検出する構成のものがある。その際、非マクロ撮影用のレンズとは異なり、変位情報をカメラ本体側と通信するための端子が別途必要になる。つまり、マクロ撮影用のレンズと非マクロ撮影用のレンズとでは、カメラ本体と通信する際に必要となる端子数が異なる（端子の形状が異なる）場合がある。そこで、第１電子端子にマクロ撮影用のレンズを対応させ、第２電子端子に非マクロ撮影用のレンズを対応させるようにしてもよい。
【００５１】
ここでは、マクロ撮影用のレンズと非マクロ撮影用のレンズとを例に挙げたが、これに限られない。即ち、カメラ本体と通信する情報の違いにより、端子の形状が異なる第１交換レンズ及び第２交換レンズを接続可能なように第１及び第２電子端子が設けられていてもよい。
【００５２】
また、第１電子端子と第２電子端子とが同じ端子数（端子の形状が同じ）であっても、互いに通信方式が異なる場合がある。例えば、第１電子端子では従来の交換レンズに対応したシリアル通信を行うようにし、第２電子端子では新しい交換レンズに対応した高速クロック通信やＵＡＲＴ通信、光通信を行うようにすることが考えられる。この場合は、端子の形状自体は同じであるため、従来の交換レンズも新しい交換レンズも第１及び第２電子端子のどちらにも接続可能である。しかしながら、従来の交換レンズを第２電子端子に接続しても正常な通信を行うことが出来ないため、この場合はエラーを出す等して第１電子端子への接続を促すようにすることが好ましい。逆に、新しい交換レンズを第１電子端子に接続した場合も同様にエラーを出す等して第２電子端子への接続を促すようにすることが好ましい。
【００５３】
（変形例２）
また、同じ交換レンズに対して、夫々カメラ本体の第１端子、第２端子に接触させるように装着できるように、即ち同じ交換レンズがカメラ本体の第１端子、第２端子に共に装着できるようにしても良い。例えば、マクロ撮影用レンズをカメラ本体の第１端子に装着して静止画撮影用とし、またカメラ本体の第２端子に装着して動画撮影用としても良い。
【符号の説明】
【００５４】
１０１・・交換レンズ、１０２・・カメラ本体、１０３・・マウントリング、１０４・・カメラマウント部材、１０５・・レンズ側第１の電子端子、１０６・・レンズ側第２の電子端子、１０７・・カメラ側第１電子端子、１０８・・カメラ側第２電子端子、１０９・・ロックピン、１１１・・ロック穴Ａ、１１２・・ロック穴Ｂ、１１３・・レンズ側マウント接触面、１１４・・カメラ側マウント接触面
【図１】
2013021391.tif 000003
【図２】
2013021391.tif 000004
【図３】
2013021391.tif 000005
【図４】
2013021391.tif 000006
【図５】
2013021391.tif 000007
【図６】
2013021391.tif 000008
【図７】
2013021391.tif 000009
【図８】
2013021391.tif 000010
【図９】
2013021391.tif 000011
【図１０】
2013021391.tif 000012
【図１１】
2013021391.tif 000013
【図１２】
2013021391.tif 000014
【図１３】
2013021391.tif 000015